(57)【特許請求の範囲】
【請求項１】
外界の被写体の像を結ぶレンズ系と、
受光面上に結ばれた像を画像データとして取り込む撮像デバイスと、
焦点位置の調整のために前記レンズ系を移動させた後、前記レンズ系と前記撮像デバイスとの位置関係を固定し、前記レンズ系が押された場合であっても、前記レンズ系と前記撮像デバイスとの相対位置の関係を維持する固定部材と、
前記固定部材の前記レンズ系に対して外界と反対側の面に備えられ、前記レンズ系に加えられた圧力を検出し、異物が前記レンズ系へ接触したことを検出する圧力センサと
を備える撮像装置。
【請求項２】
前記圧力センサが前記レンズ系へ異物が接触したことを検出したことに基づいて、所定の通知を行う通知部
をさらに備える請求項１に記載の撮像装置。
【請求項３】
前記圧力センサが前記レンズ系へ異物が接触したことを検出したことに基づいて、前記撮像デバイスによる画像データの取り込みを停止する撮像停止制御部
をさらに備える請求項１又は請求項２に記載の撮像装置。
【発明の詳細な説明】
【０００１】
【発明の属する技術分野】
本発明は、外界の被写体の像を結ぶレンズ系が汚れる可能性のある状態を検知する撮像装置に関する。
【０００２】
【従来の技術】
銀塩カメラ、デジタルカメラ、ビデオカメラ等の撮像装置においては、一般に、外界の被写体の像は、レンズを通して結ばれて取り込まれる。このような撮像装置においては、レンズが汚れてしまうと、取り込んだ被写体の像がぼけてしまったり、暗くなってしまったり等といった被写体の像の画質を悪くする問題が発生する。
【０００３】
これため、例えば、特開平７−６４１５２号公報には、レンズバリアにレンズクリーナーを備えた発明が記載されている。この発明では、レンズバリアが開閉されると、レンズクリーナが撮像撮像レンズ面に接して移動するため、撮像レンズ表面がクリーニングされる。
【０００４】
【発明が解決しようとする課題】
ところで、撮像装置により被写体の像を取り込む際においては、例えば、ユーザが無意識のうちにレンズに手を触れてしまうことがあり、レンズを汚してしまう恐れがある。この場合においては、レンズが汚れていることをユーザが把握しなければ、上述したように、被写体の像の画質を悪くする問題が発生する。
【０００５】
また、レンズが汚れていることを把握するためには、レンズを頻繁に観察する必要があり、手間がかかるという問題が生じる。例えば、一眼レフではない撮像装置においては、ファインダーを覗いてもレンズの汚れを把握することができない。したがって、レンズの汚れを確認するためには、ファインダーを覗くこと止めて、直接レンズを観察しなければならないという問題が生じる。
【０００６】
また、一眼レフの撮像装置では、ファインダーを覗くことにより、レンズの汚れを検出することができる場合もあるが、ファインダーを覗いて高精度にレンズの汚れを検出することは困難である。したがって、一眼レフの撮像装置であっても、高精度にレンズの汚れを検出するためには直接レンズを観察しなければならないという問題が生じる。
そこで、本発明は、レンズを汚す可能性があることや、レンズが汚れている可能性があることを容易且つ適切に検出することのできる撮像装置を提供することを目的とする。この目的は特許請求の範囲における独立項に記載の特徴の組み合わせにより達成される。また従属項は本発明の更なる有利な具体例を規定する。
【０００７】
【課題を解決するための手段】
上記目的を達成するために、本発明の第1の形態に係る撮像装置は、外界の被写体の像を結ぶレンズ系と、受光面上に結ばれた像を画像データとして取り込む撮像デバイスと、焦点位置の調整のためにレンズ系を移動させた後、レンズ系と撮像デバイスとの位置関係を固定し、レンズ系が押された場合であっても、レンズ系と撮像デバイスとの相対位置の関係を維持する固定部材と、固定部材のレンズ系に対して外界と反対側の面に備えられ、レンズ系に加えられた圧力を検出し、異物がレンズ系へ接触したことを検出する圧力センサとを備える。
【０００８】
前記圧力センサが前記レンズ系へ異物が接触したことを検出したことに基づいて、所定の通知を行う通知部をさらに備えてもよい。
【０００９】
前記圧力センサが前記レンズ系へ異物が接触したことを検出したことに基づいて、前記撮像デバイスによる画像データの取り込みを停止する撮像停止制御部をさらに備えてもよい。
【００１１】
【発明の実施の形態】
以下、発明の実施の形態を通じて本発明を説明するが、以下の実施形態は特許請求の範囲に係る発明を限定するものではなく、又実施形態の中で説明されている特徴の組み合わせの全てが発明の解決手段に必須であるとは限らない。
【００１２】
図１は本発明の第１の実施形態に係る撮像装置の一例としてのデジタルカメラの構成を示す図である。撮像装置１００は、筐体１０と、レンズ系１２と、レンズ駆動回路１４と、絞り部１６と、絞り駆動回路１８と、シャッター部２０と、シャッター駆動回路２２と、撮像デバイス２４と、撮像デバイス駆動回路２６と、アナログ信号処理部２８と、アナログ／デジタル（Ａ／Ｄ）変換部３０と、デジタル信号処理部３２と、メモリ３４と、圧縮伸張部３６と、記憶部３８と、表示用信号処理部４０と、表示デバイス４２と、ストロボ部４４と、ストロボ駆動回路４６と、発光部４８と、受光部５０と、制御部５２と、通知部の一例としての通知用発光部６０と、通知部の一例としての通知用発音部６２と、シャッタースイッチ６４と、操作スイッチ６６とを有する。
【００１３】
筐体１０は、撮像装置１００の各部を収容、又は保持する。レンズ系１２は、単数又は複数のレンズにより構成され、外界からの光を集めることにより外界の被写体の像を撮像デバイス２４の受光面上に結ぶ。本実施形態では、レンズ系１２は、焦点距離を変更することができるようになっている。レンズ駆動回路１４は、レンズ系１２の焦点距離を変更する。絞り部１６は、開口を有し、開口の大きさを調整することによりレンズ系１２から撮像デバイス２４側への光量の調整を行う。絞り駆動回路１８は、絞り部１６の開口の大きさを変更する。
【００１４】
シャッター部２０は、レンズ系１２及び絞り部１６を通過した光の撮像デバイス２４への通過又は遮断を行う。シャッター駆動回路２２は、シャッター部２０による光の通過又は遮断を制御する。撮像デバイス２４は、レンズ系１２により受光面上に結ばれた像を取り込む。本実施形態では、撮像デバイス２４は、ＣＣＤ（Charged Coupled Device）イメージセンサであり、受光面上に結ばれた像を画像データとして取り込む。撮像デバイス駆動回路２６は、撮像デバイス２４による撮像動作を制御する。
【００１５】
アナログ信号処理部２８は、撮像デバイス２４で取り込まれたアナログ信号の画像データに対して所定のアナログ信号処理を行う。アナログ／デジタル（Ａ／Ｄ）変換部３０は、アナログ信号処理部２８により処理されたアナログ信号をデジタル信号に変換して、デジタル信号処理部３２に出力する。デジタル信号処理部３２は、Ａ／Ｄ変換部３０により変換されたデジタル信号の画像データに対して所定のデジタル信号処理を行う。
【００１６】
メモリ３４は、例えば、ＲＡＭ（Random Access Memory）により構成され、デジタル信号処理部３２により処理された画像データ、及び圧縮伸張部３６により伸張された画像データを記憶する。圧縮伸張部３６は、メモリ３４に格納された画像データに対して所定の圧縮処理を行う。また、記憶部３８により記憶された画像データに対して所定の伸張処理を行う。記憶部３８は、圧縮伸張部３６により圧縮された画像データを記憶する。記憶部３８は、撮像装置１００内に常設されているＲＡＭ、フラッシュメモリであってもよく、また、撮像装置１００に対して着脱可能な、例えば、フロッピーディスク、ＭＤ（Mini Disk）、ＤＶＤ（Digital Video Disc）、ＭＯ（Magneto-Optical）、スマートメディア（商標）等の記録媒体であってもよい。
【００１７】
表示用信号処理部４０は、メモリ３４に格納された画像データを表示用の信号に変換する。表示デバイス４２は、表示用信号処理部４０により変換された表示用の信号に基づいた画像を表示する。本実施形態では、表示デバイス４２として、液晶ディスプレイを用いる。ストロボ部４４は、外界の被写体を照らすための閃光を発生する。ストロボ駆動回路４６は、ストロボ部４４に閃光を発生させる。
【００１８】
発光部４８は、所定の光を発生する。受光部５０は、外部から光を受ける。本実施形態では発光部４８は、所定の周波数の赤外線を発生する。また、本実施形態では、発光部４８及び受光部５０は、発光部４８が発する光の方向が受光部５０の光を受ける受光面に調整されているとともに、発光部４８から受光部５０までに至る光がレンズ系１２の外界側の所定の距離（例えば、数ミリ程度）離れた領域を通るように筐体１０に備えられている。したがって、例えば、指等の異物がレンズ系１２に近づいた場合には、前記異物がレンズ系１２に触れる前に発光部４８から受光部５０までに至る光を遮ることとなる。
【００１９】
制御部５２は、撮像装置１００の各部を制御する。本実施形態では、制御部５２は、検出部５４と、通知制御部５６と、撮像停止制御部の一例としての撮像制御部５８とを有する。ここで、特許請求の範囲にいう接近検出部は、本実施形態では、発光部４８、受光部５０及び検出部５４によって構成される。検出部５４は、レンズ系１２に異物が所定の距離以内に近づいたか否かを検出する。本実施形態では、検出部５４は、受光部５０が受した光の中に発光部４８からの光が含まれているか否か、すなわち、発光部４８から受光部５０までに至る光を異物が遮ったか否かによって、異物がレンズ系１２に所定の距離以内に近づいたか否かを検出する。
【００２０】
通知制御部５６は、検出部５４によりレンズ系１２に異物が所定の距離以内に近づいたことを検出された場合には、通知用発光部６０又は通知用発音部６２の少なくとも一方により、レンズ系１２に異物が所定の距離以内に近づいたことを通知させる。
【００２１】
撮像制御部５８は、レンズ系１２に異物が所定の距離以内に近づいたことを検出されていない場合において、シャッタースイッチ６４が押下されると、撮像デバイス２４に被写体の像を取り込ませる。本実施形態では、撮像制御部５８は、シャッタースイッチ６４が押下されると、シャッタ駆動回路２２によりシャッター部２０にレンズ系１２及び絞り部１６を通過した光を所定の時間撮像デバイス２４へ通過させるとともに、撮像デバイス駆動回路２６により、撮像デバイス２４に受光面上に形成された像を取り込ませる。
【００２２】
また、撮像制御部５８は、レンズ系１２に異物が所定の距離以内に近づいたことを検出された場合において、撮像デバイス２４による被写体の像の取込を停止する。本実施形態では、撮像制御部５８は、シャッタースイッチ６４が押下された場合であっても、シャッター駆動回路２２により、シャッター部２０に撮像デバイス２４への光を通過させること実行させず、且つ撮像デバイス駆動回路２６により撮像デバイス２４に受光面上の像を取り込ませることを実行させない。
【００２３】
通知用発光部６０は、例えば、ＬＥＤ（Light-Emitting Diode）で構成されており、光を発生させてユーザに通知する。本実施形態では、通知用発光部６０は、レンズ系１２に異物が所定の距離以内に近づいたことを光を発光させることにより通知する。通知用発音部６２は、例えば、スピーカで構成されており、音を発生させてユーザに通知する。本実施形態では、通知用発音部６２は、レンズ系１２に異物が所定の距離以内に近づいたこと音を発生させて通知する。シャッタスイッチ６４は、外界の被写体の像を取り込むべきタイミングの指示を受け付ける。操作スイッチ６６は、撮像装置１００に関する種々の処理要求を受け付ける。
【００２４】
次に、本発明に係る撮像装置１００による通常の撮像時の動作を説明する。
本撮像装置１００において、制御部５２がレンズ駆動回路１４によりレンズ系１２を所定の焦点位置にし、絞り駆動回路１８により絞り部１６を所定の大きさの開口に調整する。次いで、シャッターボタン６４が押下されると、撮像制御部５８がシャッタ駆動回路２２によりシャッター部２０を制御してレンズ系１２及び絞り部１６を通過した光を撮像デバイス２４に所定の時間通過させるとともに、撮像デバイス駆動回路２６により撮像デバイス２４に、シャッター部２０を通過した光による受光面上の被写体の像を取り込ませる。ここで、外界の明るさが十分でないときには、撮像制御部５８は、ストロボ駆動回路４６によりストロボ部４４から閃光を発生させる。
【００２５】
次いで、アナログ信号処理部２８が撮像デバイス２４により取り込まれたアナログ信号の画像データに対して所定のアナログ信号処理を行う。次いで、Ａ／Ｄ変換部３０がアナログ信号の画像データをデジタル信号へ変換し、デジタル信号処理部３２が所定のデジタル信号処理を行い、当該処理後の画像データをメモリ３４が記憶する。その後、圧縮伸張部３６はメモリ３４に記憶された画像データを圧縮して記憶部３８に記憶する。また、表示信号処理部４０はメモリ３４に記憶された画像データを表示用の信号に変換し、表示デバイス４２に表示する。
【００２６】
次に、本実施形態に係る撮像装置によるレンズ系１２の汚れの可能性を検出する動作を説明する。撮像装置１００において、制御部５２が発生部４８に光を発生させるとともに、受光部５０に光を受けさせる。そして、検出部５４が受光部５０により受けられた光の中に発光部４８からの光が含まれているか否かによって、発光部４８から受光部５０までに至る光を異物が遮ったか否か、すなわち、異物がレンズ系１２に所定の距離以内に近づいたか否かを検出する。ここで、例えば、ユーザの指がレンズ系１２に近づいた場合には、検出部５４により異物が所定の距離以内に近づいたと検出される。
【００２７】
そして、レンズ系１２に異物が所定の距離以内に近づいたことを検出した場合には、通知制御部５６が通知用発光部６０により光を発生させ、通知用発音部６２により音を発生させて、異物がレンズ系１２に所定の距離以内に近づいたことを通知する。このように、異物がレンズ系１２に所定の距離以内に近づいたことを通知することによって、ユーザの指がレンズ系１２に触る恐れがあることをユーザに効果的に喚起することができる。また、異物がレンズ系１２に所定の距離以内に近づいたために、異物がレンズ系１２に触れたことも考えられ、レンズ系が汚れた可能性があることを適切にユーザに通知できる。
【００２８】
次に、本実施形態に係る撮像装置による、レンズ系１２に異物が所定の距離以内に近づいたことを検出した後における動作について説明する。検出部５４により異物がレンズ系１２に所定の距離以内に近づいたことを検出された後には、レンズ系１２が汚れている可能性があるので、撮像制御部５８は、シャッタースイッチ６４が押下された場合であっても、シャッター駆動回路２２によりシャッター部２０に撮像デバイス２４への光を通過させることを実行させず、且つ撮像デバイス駆動回路２６により撮像デバイス２４に受光面上の像を取り込ませることを実行させない。したがって、品質の低い画像が取り込まれることを適切に予防することができる。
【００２９】
なお、本実施形態では、操作スイッチ６６で所定の解除指示を行うことにより、上記シャッター駆動回路２２によりシャッター部２０に撮像デバイス２４への光を通過させることを実行させず、且つ撮像デバイス駆動回路２６により撮像デバイス２４に受光面上の像を取り込ませることを実行させない状態を解除することができる。
【００３０】
図２は本発明の第２の実施形態に係る撮像装置の構成を示す図である。なお、図１に示す要素と同様な要素については同一の符号を付すこととする。第２の実施形態に係る撮像装置は、第１の実施形態に係る撮像装置において、発光部４８及び受光部５０を有さず、赤外線センサ７０を有し、検出部５４の機能を少し変更したものである。ここで、特許請求範囲にいう接近検出部は、本実施形態では、主に、赤外線センサ７０及び検出部５４によって構成される。
【００３１】
赤外線センサ７０は、レンズ系１２の外界側近傍の領域から発せられる赤外線の量を検出する。本実施形態では、赤外線センサ７０の赤外線を検出する領域は図２中の領域Ａとなっている。赤外線センサ７０によると、例えば、ユーザの指等の熱を持った物体が前記領域に入ると、検出される赤外線の量が増加する。
【００３２】
検出部５４は、レンズ系１２に異物が所定の距離以内に近づいたか否かを検出する。本実施形態では、検出部５４は、赤外線センサ７０が検出した赤外線の量が所定の閾値を超えた否か、すなわち、所定の以上の熱を持った物体が前記領域に入ったか否かを検出することにより、異物がレンズ系１２に所定の距離以内に近づいたか否かを検出する。
【００３３】
次に、本実施形態に係る撮像装置によるレンズ系１２の汚れの可能性を検出する動作を説明する。撮像装置１００において、赤外線センサ７０が領域Ａから発生する赤外線の量を検出する。そして、検出部５４が赤外線センサ７０により検出された赤外線の量が所定の閾値を超えた否か検出することにより、異物がレンズ系１２に所定の距離以内に近づいたか否かを検出する。ここで、例えば、ユーザの指が無意識のうちにレンズ系１２に近づいた場合には、検出部５４により異物が所定の距離以内に近づいたと検出される。
【００３４】
そして、レンズ系１２に異物が所定の距離以内に近づいたことを検出した場合には、通知制御部５６が通知用発光部６０により光を発生させ、通知用発音部６２により音を発生させて、異物がレンズ系１２に所定の距離以内に近づいたことを通知する。このように、異物がレンズ系１２に所定の距離以内に近づいたことを通知することによって、ユーザの指がレンズ系１２に触る恐れがあることをユーザに効果的に喚起することができる。また、異物がレンズ系１２に所定の距離以内に近づいたために、異物がレンズ系１２に触れたことも考えられ、レンズ系１２が汚れた可能性があることを適切にユーザに通知できる。
【００３５】
図３は本発明の第３の実施形態に係る撮像装置の構成を示す図である。なお、図１に示す要素と同様な要素については同一の符号を付すこととする。第３の実施形態に係る撮像装置は、第１の実施形態に係る撮像装置において、発光部４８及び受光部５０を有さず、温度センサ７２を有し、検出部５４に換えて検出部５５を有し、通知制御部５６に換えて通知制御部５７を有し、撮像制御部５８に換えて撮像停止制御部の一例としての撮像制御部５９を備えたものである。ここで、特許請求範囲にいう接触検出部は、本実施形態では、主に、温度センサ７２及び検出部５５によって構成される。
【００３６】
温度センサ７２は、レンズ系１２からの熱が伝わるようにレンズ系１２に接続され、レンズ系１２の温度を検出する。検出部５５は、レンズ系１２に異物が接触したか否かを検出する。本実施形態では、検出部５５は、温度センサ７２が検出した温度の変化が所定の閾値以上か否かによって、異物がレンズ系１２に接触したか否かを検出する。通知制御部５７は、検出部５５により、レンズ系１２に異物が接触したことを検出された場合には、通知用発光部６０又は通知用発音部６２の少なくとも一方により、レンズ系１２に異物が接触したことを通知させる。
【００３７】
撮像制御部５９は、レンズ系１２に異物が接触したことを検出されていない場合において、シャッタースイッチ６４が押下されると、撮像デバイス２４に被写体の像を取り込ませる。本実施形態では、撮像制御部５９は、シャッタースイッチ６４が押下されると、シャッタ駆動回路２２によりシャッター部２０にレンズ系１２及び絞り部１６を通過した光を所定の時間撮像デバイス２４へ通過させるとともに、撮像デバイス駆動回路２６により、撮像デバイス２４に受光面上に形成された像を取り込ませる。
【００３８】
また、撮像制御部５９は、レンズ系１２に異物が接触したことを検出された場合において、撮像デバイス２４による被写体の像の取込を停止する。本実施形態では、撮像制御部５９は、シャッタースイッチ６４が押下された場合であっても、シャッター駆動回路２２によりシャッター部２０に撮像デバイス２４への光を通過させること実行させず、且つ撮像デバイス駆動回路２６により撮像デバイス２４に受光面上の像を取り込ませることを実行させない。
【００３９】
次に、本実施形態に係る撮像装置によるレンズ系１２の汚れの可能性を検出する動作を説明する。撮像装置１００において、温度センサ７２がレンズ系１２の温度を検出する。そして、検出部５５が温度センサ７２により検出された温度が所定の閾値以上変化したことを検出することにより、異物がレンズ系１２に接触したか否かを検出する。ここで、例えば、ユーザの指が無意識のうちにレンズ系１２に接触した場合には、検出部５５により異物がレンズ系１２に接触したと検出される。
【００４０】
そして、レンズ系１２に異物が接触したことを検出した場合には、通知制御部５７が通知用発光部６０により光を発生させ、通知用発音部６２により音を発生させて、異物がレンズ系１２に接触したことを通知する。このように、異物がレンズ系１２に接触したことを通知することによって、レンズ系１２が汚れた可能性があることを適切にユーザに通知できる。
【００４１】
図４は本発明の第４の実施形態に係る撮像装置の構成を示す図である。なお、図３に示す要素と同様な要素については同一の符号を付すこととする。第４の実施形態に係る撮像装置は、第３の実施形態に係る撮像装置において、温度センサ７２を有さず、赤外線センサ７４を有し、検出部５５の機能を少し変更したものである。
【００４２】
赤外線センサ７４は、レンズ系１２から発せられる赤外線の量を検出する。赤外線センサ７４によると、例えば、ユーザの指等の熱を持った物体がレンズ系１２に接触した場合に、検出される赤外線の量が増加する。検出部５５は、レンズ系１２に異物が接触したかか否かを検出する。本実施形態では、検出部５５は、赤外線センサ７４が検出した赤外線の量が所定の閾値を超えた否かにより、異物がレンズ系１２に接触したか否かを検出する。
【００４３】
次に、本実施形態に係る撮像装置によるレンズ系１２の汚れの可能性を検出する動作を説明する。撮像装置１００において、赤外線センサ７４がレンズ系１２から発生する赤外線の量を検出する。そして、検出部５５が赤外線センサ７４により検出された赤外線の量が所定の閾値を超えた否か検出することにより、異物がレンズ系１２に接触したか否かを検出する。ここで、例えば、ユーザの指がレンズ系１２に接触した場合には、検出部５５により異物がレンズに接触したと検出される。
【００４４】
そして、レンズ系１２に異物が接触したことを検出した場合には、通知制御部５７が通知用発光部６０により光を発生させ、通知用発音部６２により音を発生させて、異物がレンズ系１２に接触したことを通知する。このように、異物がレンズ系１２に接触したことを通知することによって、レンズ系１２が汚れた可能性があることを適切にユーザに通知できる。
【００４５】
図５は本発明の第５の実施形態に係る撮像装置の構成を示す図である。なお、図３に示す要素と同様な要素については同一の符号を付すこととする。第５の実施形態に係る撮像装置は、第３の実施形態に係る撮像装置において、温度センサ７２を有さず、圧力センサ７６を有し、検出部５５の機能を少し変更したものである。ここで、特許請求範囲にいう接触検出部は、本実施形態では、主に、圧力センサ７６及び検出部５５によって構成される。
【００４６】
圧力センサ７６は、レンズ系１２の外界と反対側に設けられており、レンズ系１２に加えられた圧力を検出する。本実施形態では、例えば、圧力センサ７６として、圧力に応じて所定の電圧を出力する圧電素子を用いる。圧力センサ７６によると、例えば、物体がレンズ系１２に接触した場合に、検出される圧力の大きさが増加する。検出部５５は、レンズ系１２に異物が接触したか否かを検出する。本実施形態では、検出部５５は、圧力センサ７６が検出した圧力の変化が所定の閾値を超えた否かにより、異物がレンズ系１２に接触したか否かを検出する。
【００４７】
次に、本実施形態に係る撮像装置によるレンズ系１２の汚れの可能性を検出する動作を説明する。撮像装置１００において、圧力センサ７６がレンズ系１２に加えられた圧力を検出する。そして、検出部５５が圧力センサ７６により検出された圧力の大きさの変化が所定の閾値を超えた否か検出することにより、異物がレンズ系１２に接触したか否かを検出する。ここで、例えば、ユーザの指がレンズ系１２に接触した場合には、検出部５５により異物がレンズ系１２に接触したと検出される。
【００４８】
そして、レンズ系１２に異物が接触したことを検出した場合には、通知制御部５７が通知用発光部６０により光を発生させ、通知用発音部６２により音を発生させて、異物がレンズ系１２に接触したことを通知する。このように、異物がレンズ系１２に接触したことを通知することによって、レンズ系１２が汚れた可能性があることを適切にユーザに通知できる。
【００４９】
図６は本発明の第６の実施形態に係る撮像装置の構成を示す図である。なお、図５に示す要素と同様な要素については同一の符号を付すこととする。第６の実施形態に係る撮像装置は、第５の実施形態に係る撮像装置において、圧力センサ７６を有さず、固定部材７８と、圧力センサ８０とを有し、検出部５５の機能を少し変更したものである。ここで、特許請求範囲にいう接触検出部は、本実施形態では、主に、圧力センサ８０及び検出部５５によって構成される。
【００５０】
固定部材７８は、レンズ系１２、絞り部１６、シャッター部２０及び撮像デバイス２４の位置関係を固定する。なお、固定部材７８によりレンズ系１２は固定されているが、焦点位置の調整等のための移動はできるようになっている。これによると、レンズ系１２が押された場合であっても、レンズ系１２と撮像デバイス２４との相対位置の関係を正確に維持することができる。したがって、レンズ系１２に大きな圧力がかかった場合であっても、レンズ系１２を介して、撮像デバイス２４の受光面上に外界の被写体の像を高精度に結ぶことができる。
【００５１】
圧力センサ８０は、レンズ系１２に加えられた圧力を検出する。本実施形態では、圧力センサ８０は、固定部材７８のレンズ系に対して外界と反対側の面に備えられている。検出部５５は、第５の実施形態に係る撮像装置の検出部５５を、圧力センサ８０が検出した圧力の変化が所定の閾値を超えた否かにより、異物がレンズ系１２に接触したか否かを検出するようにしたものである。
【００５２】
次に、本実施形態に係る撮像装置によるレンズ系１２の汚れの可能性を検出する動作を説明する。撮像装置１００において、圧力センサ８０がレンズ系１２に加えられた圧力を検出する。そして、検出部５５が圧力センサ８０により検出された圧力の変化が所定の閾値を超えた否か検出することにより、異物がレンズ系１２に接触したか否かを検出する。ここで、例えば、ユーザの指がレンズ系１２に接触した場合には、検出部５５により異物がレンズ系１２に接触したと検出される。
【００５３】
そして、レンズ系１２に異物が接触したことを検出した場合には、通知制御部５７が通知用発光部６０により光を発生させ、通知用発音部６２により音を発生させて、異物がレンズ系１２に接触したことを通知する。このように、異物がレンズ系１２に接触したことを通知することによって、レンズ系１２が汚れた可能性があることを適切にユーザに通知できる。また、レンズ系１２及び撮像デバイスの相対位置関係を高精度に保つことができる。
【００５４】
図７は本発明の第７の実施形態に係る撮像装置の構成を示す図である。なお、図１に示す要素と同様な要素については同一の符号を付すこととする。第７の実施形態に係る撮像装置は、第１の実施形態に係る撮像装置において、発光部４８及び受光部５０を有さず、温度センサ８２を有し、検出部５４に換えて検出部８４を有し、通知制御部５６に換えて通知制御部８６を有し、撮像制御部５８に換えて撮像制御部８８を有する。ここで、特許請求範囲にいう保持検出部は、本実施形態では、主に、温度センサ８２及び検出部８４によって構成される。
【００５５】
温度センサ８２は、被写体の像を取り込む際において撮像装置１００をユーザが保持する位置、いわゆるホームポジションに備えられ、当該位置での温度を検出する。温度センサ８２によると、ユーザがホームポジションに手を添えている場合には、所定の温度以上の温度が検出される。
【００５６】
検出部８４は、撮像装置１００の所定の位置をユーザが保持しているか否かを検出する。本実施形態では、検出部８４は、温度センサ８２が検出した温度が所定の温度以上か否かによって、ユーザがホームポジションに手を添えているか否かを検出する。通知制御部８６は、検出部８４により、撮像装置１００の所定の位置をユーザが保持していることを検出された場合には、通知用発光部６０又は通知用発音部６２の少なくとも一方により、撮像装置の所定の位置をユーザが保持していないとの警告を通知させる。
【００５７】
撮像制御部８８は、撮像装置１００の所定の位置をユーザが保持していると検出された場合において、シャッタースイッチ６４が押下されると、撮像デバイス２４に被写体の像を取り込ませる。本実施形態では、撮像制御部８８は、シャッタースイッチ６４が押下されると、シャッタ駆動回路２２によりシャッター部２０にレンズ系１２及び絞り部１６を通過した光を所定の時間撮像デバイス２４へ通過させるとともに、撮像デバイス駆動回路２６により、撮像デバイス２４に受光面上に形成された像を取り込ませる。
【００５８】
また、撮像制御部８８は、撮像装置の所定の位置をユーザが保持していないと検出された場合において、撮像デバイス２４による被写体の像の取込を停止する。本実施形態では、撮像制御部５９は、シャッタースイッチ６４が押下された場合であっても、シャッター駆動回路２２により、シャッター部２０に撮像デバイス２４への光を通過させること実行せず、且つ撮像デバイス駆動回路２６により撮像デバイス２４に受光面上の像を取り込ませることを実行しない。
【００５９】
次に、本実施形態に係る撮像装置によるレンズ系１２の汚れの可能性を検出する動作を説明する。撮像装置１００において、温度センサ８２が撮像装置の所定の位置の温度を検出する。そして、検出部８４が温度センサ８２により検出された温度が所定の温度以上か否かを検出することにより、撮像装置１００の所定の位置をユーザが保持しているか否かを検出する。
【００６０】
そして、撮像装置１００の所定の位置をユーザが保持していないことを検出した場合には、通知制御部８６が通知用発光部６０により光を発生させ、通知用発音部６２により音を発生させて、撮像装置１００の所定の位置をユーザが保持していないこと通知する。このように、撮像装置１００の所定の位置をユーザが保持していないこと通知することによって、レンズ系１２が汚れる可能性があることや、像を取り込む際の手の位置がずれていることを適切にユーザに通知できる。
このため、例えば、一眼レフでない撮像装置において、ユーザの意図と関係なく誤ってユーザの手の一部の像が取り込まれてしまうことも防ぐことができる。
【００６１】
本発明は上記の実施形態に限定されるものではなく、種々の変形が可能である。例えば、上記の実施形態では、デジタルカメラに本発明を適用した例を示していたが、本発明はこれに限られず、例えば、銀塩カメラ、ビデオカメラ、半導体露光装置、光学測距装置、眼底観察用カメラ等の医療用光学機器等といった他の撮像装置にも適用することができる。また、上記実施形態では、検出部５４が異物が接触したことを検出したこと、検出部５５が異物が所定の距離以内に接近を検出したこと、又は、検出部８４が撮像装置１００の所定の位置をユーザが保持していないことを検出した場合には、ユーザに通知すること及び撮像を停止をすることを行っていたが、本発明はこれに限られず、いずれか一方を行うようにしてもよい。
【００６２】
また、上記実施形態では、音、光により通知していたが、本発明はこれらに限られず、例えば、表示デバイス４２にその旨の文字、記号等の情報を表示して通知するようにしてもよい。また、ファインダーをのぞくと、その視野内に情報を表示する表示部を有するような撮像装置であれば、当該表示部に文字、記号等の情報を表示して通知するようにしてもよい。また、上記実施形態において、気体を放出するブロワ部をレンズ系１２の外界表面に空気を噴出するように備え、異物がレンズ系１２に接触したことを検出した場合に、ブロア部により空気を噴出させてレンズ系１２の異物を取り除くようにしてもよい。
【００６３】
以上、本発明を実施の形態を用いて説明したが、本発明の技術的範囲は上記実施の形態に記載の範囲には限定されない。上記実施の形態に、多様な変更又は改良を加えることができることが当業者に明らかである。その様な変更又は改良を加えた形態も本発明の技術的範囲に含まれ得ることが、特許請求の範囲の記載から明らかである。
【００６４】
【発明の効果】
上記説明から明らかなように、本発明によれば、レンズを汚す可能性があることや、レンズが汚れている可能性があることを容易且つ適切に検出することができる。
【図面の簡単な説明】
【図１】  本発明の第１の実施形態に係る撮像装置の構成を示す図である。
【図２】  本発明の第２の実施形態に係る撮像装置の構成を示す図である。
【図３】  本発明の第３の実施形態に係る撮像装置の構成を示す図である。
【図４】  本発明の第４の実施形態に係る撮像装置の構成を示す図である。
【図５】  本発明の第５の実施形態に係る撮像装置の構成を示す図である。
【図６】  本発明の第６の実施形態に係る撮像装置の構成を示す図である。
【図７】  本発明の第７の実施形態に係る撮像装置の構成を示す図である。
【符号の説明】
１０  筐体                １２  レンズ系      １４  レンズ駆動回路
１６  絞り部              １８  絞り駆動回路  ２０  シャッター部
２２  シャッタ駆動回路    ２４  撮像デバイス  ２６  撮像デバイス駆動回路
２８  アナログ信号処理部  ３０  Ａ／Ｄ変換部  ３２  デジタル信号処理部
３４  メモリ              ３６  圧縮伸張部    ３８  記憶部
４０  表示用信号処理装置  ４２  表示デバイス  ４４  ストロボ部
４６  ストロボ駆動回路    ４８  発光部        ５０  受光部
５２  制御部              ５４、５５、８４  検出部
５６、５７、８６  通知制御部    ５８、５９、８８  撮像制御部
６０  通知用発光部        ６２  通知用発音部  ６４  シャッタースイッチ
６６  操作スイッチ        ７０  赤外線センサ  ７２  温度センサ
７４  赤外線センサ        ７６  圧力センサ    ７８  固定部
８０  圧力センサ          ８２  温度センサ
【図１】
0004030694.tif 000002
【図２】
0004030694.tif 000003
【図３】
0004030694.tif 000004
【図４】
0004030694.tif 000005
【図５】
0004030694.tif 000006
【図６】
0004030694.tif 000007
【図７】
0004030694.tif 000008